(57)【要約】    本発明の音響生成機構は、制御部材（１０）と、振動部材（１２）と、制御部材（１０）を制御する係止／解放機構（１４）とを有する。前記制御部材（１０）は、第１位置と第２位置との間を移動し、前記第１位置では、前記制御部材（１０）は、係止／解放機構（１４）により保持され、前記制御部材（１０）は、振動部材（１２）をその静止位置から離れた位置に保持される。前記第２位置では、前記制御部材（１０）は、係止／解放機構（１４）から解放され、同時に振動部材（１２）を解放する。かくして、振動部材（１２）は、振動し音を生成する。
2008537127.tif 000002
【特許請求の範囲】
【請求項１】
制御部材（１０）と、振動部材（１２）と、制御部材（１０）を制御する係止／解放機構（１４）とを有する音響生成機構において、
前記制御部材（１０）は、第１位置と第２位置との間を移動し、
前記第１位置では、前記制御部材（１０）は、係止／解放機構（１４）により保持され、前記制御部材（１０）は、振動部材（１２）をその静止位置から離れた位置に保持され、
前記第２位置では、前記制御部材（１０）は、係止／解放機構（１４）から解放され、前記制御部材（１０）は、振動部材（１２）の曲げる力により押し戻され、
かくして、振動部材（１２）は、振動し音を生成しながら静止位置に戻る
ことを特徴とする音響生成機構。
【請求項２】
前記係止／解放機構（１４）は、時計のユーザにより巻き上げられ、タイム・プロセスが終了点に到達した時に、移動を開始する
ことを特徴とする請求項１記載の音響生成機構。
【請求項３】
前記係止／解放機構（１４）は、第１位置と第２位置との間で回転する
ことを特徴とする請求項１あるいは２記載の音響生成機構。
【請求項４】
前記制御部材（１０）は、カムであり、
前記係止／解放機構（１４）は、スプリングであり、
前記振動部材（１２）は、ゴングである
ことを特徴とする請求項１−３のいずれかに記載の音響生成機構。
【請求項５】
前記カムは、駆動真（２０）により駆動され、
前記駆動真（２０）とカム（１０）は、前記駆動真（２０）に固定された保持部材（２４）を介して、係合される
ことを特徴とする請求項４記載の音響生成機構。
【請求項６】
前記カムは、中央通路部分（２２ａ）と２個の直径方向に対向する扇形の切り欠き部分（２２ｂ）からなる開口（２２）を有し、
前記中央通路部分（２２ａ）を介して、前記カムは、駆動真（２０）に搭載され、
前記２個の扇形の切り欠き部分（２２ｂ）は、前記中央通路部分（２２ａ）につながっている
ことを特徴とする請求項５記載の音響生成機構。
【請求項７】
前記保持部材（２４）は、前記切り欠き部分（２２ｂ）内に突出し、前記駆動真（２０）の周囲のカムの遊びを制限する
ことを特徴とする請求項６記載の音響生成機構。
【請求項８】
前記切り欠き部分（２２ｂ）の扇形は、３５°の角度で開いている
ことを特徴とする請求項６あるいは７記載の音響生成機構。
【請求項９】
前記カムは、２つの突起（１６ａ、１６ｂ）を有し、
前記突起（１６ａ）は、前記スプリング（１４）の自由端に配置されたキャッチ（１８）と係合して、前記カムの移動を一時的に止め、
前記突起（１６ｂ）は、前記ゴング（１２）に係合し、その静止位置から一時的に動かす
ことを特徴とする請求項４−８のいずれかに記載の音響生成機構。
【請求項１０】
前記ゴングは、その自由端で傾斜面（２６）を有する
ことを特徴とする請求項４−９のいずれかに記載の音響生成機構。
【発明の詳細な説明】
【技術分野】
【０００１】
本発明は、腕時計のような時計に装着される少なくとも１つの音を生成する機構に関する。
【背景技術】
【０００２】
腕時計で通常使用される打鈴機構は、ゴングを打つハンマーを有する。このハンマーは、その静止位置から離れる方向に動き、解放されて、ゴングのベースを打つ。このゴングは、時計のムーブメントの周囲に円周状に配置されている。この種の打鈴機構の欠点は、音量が小さいことである。
【０００３】
第２のタイプの打鈴機構は、ミュージック・ボックスで使用される打鈴機構に類似する。この種の機構を図１に示す。この打鈴機構１は、回転ドラム２を有し、この回転ドラム２の表面に突起４が配置されている。回転ドラム２が回転すると、突起４が、ゴング６を持ち上げて、ゴング６をその静止位置から徐々に離す方向に移動させる。そしてゴング６が突起４から解放され、突然ゴング６が打つ。この打つ動作により、ゴング６は、振動し音を発する。この機構は、大きな音量を生成できる利点がある。しかし、回転ドラム２を駆動するには、十分なエネルギーが必要であり、僅かなエネルギーしか保有できない時計にこの機構に組み込むことは困難である。
【発明の開示】
【発明が解決しようとする課題】
【０００４】
本発明の目的は、前記の欠点を解決することであり、腕時計に容易に組み込むことができ、且つ大きな音量を生成できる音響生成機構を提供することである。
【課題を解決するための手段】
【０００５】
本発明は、制御部材と、振動部材と、この制御部材を係止／解放する機構とを有する音響生成機構に関する。この制御部材は、係止／解放機構により保持される第１位置と、係止／解放機構により解放される第２位置との間を移動する。この第２位置においては、係止／解放機構は、振動部材を解放し、振動部材を振動させ、音を発生する。
【０００６】
この特徴により、本発明は、振動部材を静止位置から離れる方向に移動させ、その後突如解放することにより大きな音量を生成することのできる音響生成機構を提供する。
【０００７】
本発明の他の特徴によれば、音響生成機構はユーザにより巻き上げられて、タイム・プロセスが終了点に達した時に解放される。
【０００８】
本発明のさらに別の特徴によれば、制御部材は、第１位置と第２位置との間を回転することにより動く。
【０００９】
本発明のさらに別の特徴によれば、制御部材は、カムを有し、係止／解放機構は、キャッチを具備するスプリングを有する。
【００１０】
本発明の音響生成機構は、カムを解放し、音を発生するために、スプリング要素に働きかけるだけで十分であり、これによりエネルギーの消費量を少なくし、例えば腕時計に容易に組み込むことができる。
【実施例】
【００１１】
以下の説明は、本発明の一般的な概念から開始する。本発明の概念は、スイッチをオンにするのに必要なエネルギーを少なくしながら、大きな音量を出せる音響生成機構を提供することである。これにより、例えば腕時計のような携帯可能な対象物に容易に組み込むことができる。本発明の音響生成機構は、制御部材を有する。この制御部材は、振動部材がその静止位置が離れる方向に移動する第１位置と、振動部材を解放して振動させ大きな音量の音を生成する第２位置とを占める。
【００１２】
本発明の音響生成機構８は、制御部材１０と、振動部材１２と、係止／解放機構１４とを有する。より具体的には、制御部材１０は、２個の直径方向に向かい合った位置に配置された突起１６ａ、１６ｂを有するカムの形態を採る。係止／解放機構１４は、板状スプリングの形態を採る。スプリングは、一端で固定され、他端である自由端にキャッチ１８を有する。振動部材１２は、板状のゴングにより形成される。
【００１３】
図面を参照すると、制御部材１０は、駆動真２０に回転可能に搭載される。制御部材１０は、開口２２を有する。この開口２２は、円筒状の中央通路部分２２ａと扇状の２つの切り欠き部分２２ｂとからなる。この中央通路部分２２ａを介して、制御部材１０が、駆動真２０に搭載される。切り欠き部分２２ｂは、中央通路部分２２ａにつながっている。制御部材１０は、駆動真２０に保持部材２４を介して係合される。保持部材２４は、例えば駆動真２０に固定されたキーであり、その機能を以下説明する。
【００１４】
図２Ａに示す位置（第１位置）において、制御部材１０はロックされている。カムの一方の突起１６ａは、板状スプリングである係止／解放機構１４の制御部材１０に当たっており、他方の突起１６ｂは、制御部材１０を振動部材１２をその水平静止位置（点線で示されている）から離れた方向（約１８°の角度αで上方に傾斜した方向）に保持する。タイム・プロセスの終了時（例えば、時間をカウントし現在の時間がアラーム時間に一致する直前）に、時計のムーブメントにより駆動されるモータ機構（図示せず）は、係止／解放機構１４を矢印Ａに沿って下方向に動かす。制御部材１０は、ロックされなくなるので、振動部材１２によりかかる斜めの力により、矢印Ｂの方向（時計回り）に自由に回転する。かくしてこの振動部材１２は、矢印Ｃに沿って移動し、水平静止位置に戻ろうとする。制御部材１０と振動部材１２の相対的移動を容易にするために、振動部材１２は、その自由端が膨らんだ厚さを有し、そこに傾斜面２６が形成され、この傾斜面２６に沿って突起１６ｂが、スライドする。
【００１５】
振動部材１２は、制御部材１０から解放されると、水平静止位置に戻りながら、振動し、大きな音量の音響信号を伝搬する。本発明の音響生成機構を移動開始させるのに必要なエネルギーは、係止／解放機構１４を、制御部材１０を係止している位置から開放方向に動かすのに必要な量だけである。提供しなければならないエネルギー量は、かくして小さく、その結果、本発明の機構は、例えば非常に限られたエネルギー量しか保有できない時計に組み込むことが容易となる。
【００１６】
上述したように、キャッチ１８を具備するスプリング１４が、開放カム１０を解放すると、開放カム１０は、矢印Ｂに沿って（時計方向に）回転する。しかし、開放カム１０は、保持部材２４によりその回転動作は制限される。この保持部材２４は、駆動真２０に固定され、開口２２内に形成されている扇形の切り欠き部分２２ｂの壁に当たる（第２位置）。この時の開放カム１０の回転角βは、約３５°である（図２Ｂ）。
【００１７】
本発明の音響生成機構８は、ボタンに力をかけることによりユーザにより再度巻き上げられる。これにより駆動真２０は１８０°回転する。開放カム１０は、既に約３５°回転しており、扇形の切り欠き部分２２ｂのエッジで保持部材２４に当たるので、駆動真２０が開放カム１０の駆動を開始するのは、保持部材２４が開口２２に形成された扇形の切り欠き部分２２ｂのエッジに当たった時である。駆動真２０は１８０°の回転をするが、開放カム１０は、１８０−３５＝１４５°しか回転しないで、初期状態（図２Ａ）に戻ることができる。
【００１８】
本発明の変形例として、本発明の音響生成機構は、モータにより巻き上げることもできる。例えばメロディを奏でるために、本発明の機構を複数配置し、具体的には並列に配置された複数のゴングにより、異なる音響を提供することも可能である。
【００１９】
以上の説明は、本発明の一実施例に関するもので、この技術分野の当業者であれば、本発明の種々の変形例を考え得るが、それらはいずれも本発明の技術的範囲に包含される。特許請求の範囲の構成要素の後に記載した括弧内の番号は、図面の部品番号に対応し、発明の容易なる理解の為に付したものであり、発明を限定的に解釈するために用いてはならない。また、同一番号でも明細書と特許請求の範囲の部品名は必ずしも同一ではない。これは上記した理由による。
【図面の簡単な説明】
【００２０】
【図１】従来の打鈴機構を表す図。
【図２ａ】係止位置にある本発明の音響生成機構の断面図。
【図２ｂ】解放位置にある本発明の音響生成機構の断面図。
【符号の説明】
【００２１】
１    打鈴機構
２    回転ドラム
４    突起
６    ゴング
８    音響生成機構
１０  制御部材
１２  振動部材
１４  係止／解放機構
１６ａ，１６ｂ  突起
１８  キャッチ
２０  駆動真
２２  開口
２２ａ  中央通路部分
２２ｂ  切り欠き部分
２４  保持部材
２６  傾斜面
【図１】
2008537127.tif 000003
【図２Ａ】
2008537127.tif 000004
【図２Ｂ】
2008537127.tif 000005
【手続補正書】
【提出日】平成19年5月10日(2007.5.10)
【手続補正１】
【補正対象書類名】特許請求の範囲
【補正対象項目名】全文
【補正方法】変更
【補正の内容】
【特許請求の範囲】
【請求項１】
制御部材（１０）と、振動部材（１２）と、制御部材（１０）を制御する係止／解放機構（１４）とを有する音響生成機構において、
前記制御部材（１０）は、第１位置と第２位置との間を移動し、
前記第１位置では、前記制御部材（１０）は、係止／解放機構（１４）により保持され、前記制御部材（１０）は、振動部材（１２）をその静止位置から離れた位置に保持され、
前記第２位置では、前記制御部材（１０）は、係止／解放機構（１４）から解放され、前記制御部材（１０）は、振動部材（１２）の曲げる力により押し戻され、
かくして、振動部材（１２）は、振動し音を生成しながら静止位置に戻る
ことを特徴とする音響生成機構。
【請求項２】
前記係止／解放機構（１４）は、時計のユーザにより巻き上げられ、タイム・プロセスが終了点に到達した時に、移動を開始する
ことを特徴とする請求項１記載の音響生成機構。
【請求項３】
前記係止／解放機構（１４）は、第１位置と第２位置との間で回転する
ことを特徴とする請求項１あるいは２記載の音響生成機構。
【請求項４】
前記制御部材（１０）は、カムであり、
前記係止／解放機構（１４）は、スプリングであり、
前記振動部材（１２）は、ゴングである
ことを特徴とする請求項１−３のいずれかに記載の音響生成機構。
【請求項５】
前記カムは、駆動真（２０）により駆動され、
前記駆動真（２０）とカム（１０）は、前記駆動真（２０）に固定された保持部材（２４）を介して、係合される
ことを特徴とする請求項４記載の音響生成機構。
【請求項６】
前記カムは、中央通路部分（２２ａ）と２個の直径方向に対向する扇形の切り欠き部分（２２ｂ）からなる開口（２２）を有し、
前記中央通路部分（２２ａ）を介して、前記カムは、駆動真（２０）に搭載され、
前記２個の扇形の切り欠き部分（２２ｂ）は、前記中央通路部分（２２ａ）につながっている
ことを特徴とする請求項５記載の音響生成機構。
【請求項７】
前記保持部材（２４）は、前記切り欠き部分（２２ｂ）内に突出し、前記駆動真（２０）の周囲のカムの遊びを制限する
ことを特徴とする請求項６記載の音響生成機構。
【請求項８】
前記切り欠き部分（２２ｂ）の扇形は、３５°の角度で開いている
ことを特徴とする請求項６あるいは７記載の音響生成機構。
【請求項９】
前記カムは、２つの突起（１６ａ、１６ｂ）を有し、
前記突起（１６ａ）は、前記スプリング（１４）の自由端に配置されたキャッチ（１８）と係合して、前記カムの移動を一時的に止め、
前記突起（１６ｂ）は、前記ゴング（１２）に係合し、その静止位置から一時的に動かす
ことを特徴とする請求項４−８のいずれかに記載の音響生成機構。
【請求項１０】
前記ゴングは、その自由端で傾斜面（２６）を有する
ことを特徴とする請求項４−９のいずれかに記載の音響生成機構。
【国際調査報告】
2008537127.tif 000006
2008537127.tif 000007
2008537127.tif 000008
2008537127.tif 000009